(57)【特許請求の範囲】
【請求項１】
使用時に荷重を受ける金属部品であるネジ要素を樹脂部分である接地体に予めインサート成形したもので、
床面に接地し得る樹脂部分である接地体と、この接地体に一部を埋め込んだ金属部品であるネジ要素とを具備してなるアジャスタであって、ネジ要素が、接地体の反接地側から突出しネジ山を有するネジ軸と、接地体に少なくとも一部を埋め込んだ頭部とを具備するものであり、
接地体の反接地面と前記頭部との間に、その周囲よりも強度が低い低強度部を形成するとともに、
接地面側から衝撃を加えた際に力を低強度部に伝えて低強度部を破壊するための穴部を接地体の接地面に設けていることを特徴とする樹脂インサート成形品。
【請求項２】
低強度部の肉厚を、その周囲よりも薄肉にしていることを特徴とする請求項１記載の樹脂インサート成形品。
【請求項３】
使用時に荷重を受ける金属部品であるネジ要素を樹脂部分である接地体に予めインサート成形したもので、
床面に接地し得る樹脂部分である接地体と、この接地体に一部を埋め込んだ金属部品であるネジ要素とを具備してなるアジャスタであって、ネジ要素が、接地体の反接地側から突出しネジ山を有するネジ軸と、接地体に少なくとも一部を埋め込んだ頭部とを具備するものであり、
接地体の反接地面と前記頭部との間に、その周囲よりも強度が低い低強度部を形成し、
低強度部の肉厚を、その周囲よりも薄肉にし、
前記頭部の接地体に埋め込まれる部位にネジ要素の軸心方向に対して傾斜するテーパ面を形成するとともに、接地体に前記テーパ面に対応するテーパ面を形成して、該テーパ面を含む部位に前記低強度部を設定していることを特徴とする樹脂インサート成形品。
【請求項４】
接地体の反接地面のうち前記低強度部を構成する部位に、ネジ要素の軸心側から放射状に延びる複数の溝部を形成していることを特徴とする請求項３記載の樹脂インサート成形品。
【請求項５】
使用時に荷重を受ける金属部品であるネジ要素を樹脂部分である接地体に予めインサート成形したもので、
床面に接地し得る樹脂部分である接地体と、この接地体に一部を埋め込んだ金属部品であるネジ要素とを具備してなるアジャスタであって、ネジ要素が、接地体の反接地側から突出しネジ山を有するネジ軸と、接地体に少なくとも一部を埋め込んだ頭部とを具備するものであり、
接地体の反接地面と前記頭部との間に、前記低強度部を形成し、
接地体の反接地面のうち前記低強度部を構成する部位に、ネジ要素の軸心側から放射状に延びる複数の溝部を形成していることを特徴とする樹脂インサート成形品。
【請求項６】
使用時に荷重を受ける金属部品であるネジ要素を樹脂部分である接地体に予めインサート成形したもので、
床面に接地し得る樹脂部分である接地体と、この接地体に一部を埋め込んだ金属部品であるネジ要素とを具備してなるアジャスタであって、ネジ要素が、接地体の反接地側から突出しネジ山を有するネジ軸と、接地体に少なくとも一部を埋め込んだ頭部とを具備するものであり、接地体のうち反接地側における前記頭部又はネジ軸との境界部分にその周囲よりも強度が低い低強度部を形成し、
接地体のうち反接地側において、ネジ要素のネジ軸の周囲に複数の薄肉なリブを形成し、このリブを低強度部としていることを特徴とする樹脂インサート成形品。
【請求項７】
接地体に、前記各リブを連結しネジ軸の周囲を周回させたリング部を形成していることを特徴とする請求項６記載の樹脂インサート成形品。
【請求項８】
前記リング部のうち、リブと接続していない部位に切り込み部を形成していることを特徴とする請求項７記載の樹脂インサート成形品。
【請求項９】
接地体の接地面側における前記頭部に対応する部位に、反接地側に向かって窪ませた穴部を形成していることを特徴とする請求項３、４、５、６、７又は８記載の樹脂インサート成形品。
【請求項１０】
使用時に荷重を受ける金属部品を樹脂部分に予めインサート成形したものであって、
樹脂部分のうち使用時に金属部品が荷重を受ける側とは異なる部位における金属部品との境界部分に、その周囲よりも強度が弱い低強度部を形成し、
家具本体の荷重を支持し得る樹脂部分である支持体と、この支持体に埋め込まれネジ孔を有する金属部品であるナット要素とを具備してなり家具本体の下端部でアジャスタを受けるアジャスタ受けであって、支持体の反荷重受面とナット要素との間にその周囲よりも強度が低い低強度部を形成していることを特徴とする樹脂インサート成形品。
【請求項１１】
低強度部の肉厚を、その周囲よりも薄肉にしていることを特徴とする請求項１０記載の樹脂インサート成形品。
【請求項１２】
ナット要素を、支持体の反荷重受側に偏位させて位置づけていることを特徴とする請求項１１記載の樹脂インサート成形品。
【請求項１３】
ナット要素が、少なくとも前記低強度部に向く側の面に面取りを施しているものであることを特徴とする請求項１０、１１又は１２記載の樹脂インサート成形品。
【請求項１４】
低強度部が、ナット要素の前記面取り部分にのみ肉厚を存在させたものであることを特徴とする請求項１３記載の樹脂インサート成形品。
【請求項１５】
支持体において前記ナット要素を挟んで低強度部の反対側となる部位に、反荷重受側に向かって窪ませた孔部を形成していることを特徴とする請求項１０、１１、１２、１３又は１４記載の樹脂インサート成形品。
【請求項１６】
前記孔部が、ネジ孔にネジ要素のネジ軸を家具本体に向けて挿入するために支持体を貫通するように設けた貫通孔の一部であることを特徴とする請求項１５記載の樹脂インサート成形品。
【請求項１７】
使用時に荷重を受ける金属部品を樹脂部分に予めインサート成形したものであって、
樹脂部分のうち使用時に金属部品が荷重を受ける側とは異なる部位における金属部品との境界部分に、その周囲よりも強度が弱い低強度部を形成し、
家具類の支柱に取り付けられる樹脂部分であるキャップ本体と、支柱に被取付部材を連結する際に使用されるボルトの荷重を受けるようにキャップ本体に埋め込まれた金属部品であるナット要素とを具備してなるキャップであって、キャップ本体のうち前記ボルトに対する反荷重受け側とナット要素との境界部分に低強度部を形成していることを特徴とする樹脂インサート成形品。
【発明の詳細な説明】
【０００１】
【発明の属する技術分野】
本発明は、例えば家具の高さ調節に使用されるアジャスタやアジャスタ受け等、金属部品を樹脂部分に埋め込んでなる樹脂インサート成形品に関するものである。
【０００２】
【従来の技術】
従来より、金属部品である金属部品を金型内に配置し、その金型に樹脂を注入することによって金属部品を樹脂部分に埋め込んだ構成の樹脂インサート成形品が知られている。
その一例として、机等の家具の下面側にネジ式のアジャスタ機構を設けて、家具を設置する床面の凹凸を吸収し、家具の高さを一定にすることが一般的に行われている。このようなアジャスタ機構は、ネジ要素を具備するアジャスタと、ナット要素を具備するアジャスタ受けとから構成される。アジャスタは床面に接地する樹脂製の接地体とナット要素にネジ作用で嵌め合わされるネジ要素とを具備してなり、一方、アジャスタ受けは家具本体を支持する樹脂製の支持体と金属製の前記ナット要素とを具備してなる。すなわち、これらいずれもがインサート成形により樹脂部分と金属部品とを一体的に形成した構成を有している。
【０００３】
【発明が解決しようとする課題】
ところで、近年では、環境問題に対する関心が高まりつつあり、製造物を廃棄処分する場合、それを構成素材毎に分解・分別して回収し、ゴミを減量するとともに資源の再利用が図られるようになってきている。
ところが、前述したようなアジャスタやアジャスタ受け等の樹脂インサート成形品であると、樹脂部分と金属部品とが一体に成形されているので、例えばドリル等の工具を用いて分解しなければ樹脂部分と金属部品との分解が難しく、分別作業が煩雑となる。また、分解が面倒なために分別せずに廃棄されると、ゴミが増加し、資源の有効な再利用が図れないこととなる。
【０００４】
【課題を解決するための手段】
本発明は、以上のような問題に鑑みて、樹脂パーツの一部に周囲よりも強度が低い部分を形成し、その部分を介して簡単に金属部品と樹脂部分とに分解・分別できるようにした樹脂インサート成形品を構成するものである。
【０００５】
【発明の実施の形態】
すなわち、本発明の樹脂インサート成形品は、使用時に荷重を受ける金属部品であるネジ要素を樹脂部分である接地体に予めインサート成形したもので、床面に接地し得る樹脂部分である接地体と、この接地体に一部を埋め込んだ金属部品であるネジ要素とを具備してなるアジャスタであって、ネジ要素が、接地体の反接地側から突出しネジ山を有するネジ軸と、接地体に少なくとも一部を埋め込んだ頭部とを具備するものであり、接地体の反接地面と前記頭部との間に、その周囲よりも強度が低い低強度部を形成するとともに、接地面側から衝撃を加えた際に力を低強度部に伝えて低強度部を破壊するための穴部を接地体の接地面に設けていることを特徴とする。
【０００６】
このような構成のものであると、樹脂部分のうち金属部品が荷重を受ける側においてはその荷重に耐え得るだけの十分な強度を付与しながらも、それとは異なる部位（例えば反荷重受け側）に低強度部を設定することで、荷重受け側から衝撃を加えることによって低強度部を容易に破壊することができるので、ドリル等の工具を用いなくても樹脂インサート成形品を分解し樹脂部分と金属部品とに分別して、それぞれを再利用に供することが可能となる。
【０００７】
また、接地体の反接地面と前記頭部との間にその周囲よりも強度が低い低強度部を形成しているので、接地体に荷重受け側となる接地側から反荷重受け側となる反接地側に向かって衝撃を加えることによって、ネジ要素の周囲に形成した低強度部が破壊され、ドリル等の工具を用いなくてもアジャスタを分解し接地体とネジ要素とに容易に分別して、樹脂と金属とをそれぞれ再利用に供することが可能となる。また、接地体の接地側には家具の荷重を支持するための十分な強度を付与しておくことで、アジャスタとしての基本的な機能を適切に発揮させることができる。
【０００８】
このようなアジャスタの場合、簡素な構成の低強度部として好適な実施形態には、低強度部の肉厚を、その周囲よりも薄肉にしているものが挙げられる。
【０００９】
また、薄肉にした低強度部をより容易に壊し得るようにするための態様として、使用時に荷重を受ける金属部品であるネジ要素を樹脂部分である接地体に予めインサート成形したもので、床面に接地し得る樹脂部分である接地体と、この接地体に一部を埋め込んだ金属部品であるネジ要素とを具備してなるアジャスタであって、ネジ要素が、接地体の反接地側から突出しネジ山を有するネジ軸と、接地体に少なくとも一部を埋め込んだ頭部とを具備するものであり、接地体の反接地面と前記頭部との間に、その周囲よりも強度が低い低強度部を形成し、低強度部の肉厚を、その周囲よりも薄肉にし、前記頭部の接地体に埋め込まれる部位にネジ要素の軸心方向に対して傾斜するテーパ面を形成するとともに、接地体に前記テーパ面に対応するテーパ面を形成して、該テーパ面を含む部位に前記低強度部を設定していることを特徴とするものが挙げられる。
【００１０】
また、低強度部の壊しやすさをさらに向上できる態様として、使用時に荷重を受ける金属部品であるネジ要素を樹脂部分である接地体に予めインサート成形したもので、床面に接地し得る樹脂部分である接地体と、この接地体に一部を埋め込んだ金属部品であるネジ要素とを具備してなるアジャスタであって、ネジ要素が、接地体の反接地側から突出しネジ山を有するネジ軸と、接地体に少なくとも一部を埋め込んだ頭部とを具備するものであり、接地体の反接地面と前記頭部との間に、前記低強度部を形成し、接地体の反接地面のうち前記低強度部を構成する部位に、ネジ要素の軸心側から放射状に延びる複数の溝部を形成しているものが挙げられる。前記複数の溝部は、前段で述べたような樹脂インサート成形品に形成してももちろんよい。
その他、樹脂インサート成形品であるアジャスタにおける低強度部を実現する別の態様として、使用時に荷重を受ける金属部品であるネジ要素を樹脂部分である接地体に予めインサート成形したもので、床面に接地し得る樹脂部分である接地体と、この接地体に一部を埋め込んだ金属部品であるネジ要素とを具備してなるアジャスタであって、ネジ要素が、接地体の反接地側から突出しネジ山を有するネジ軸と、接地体に少なくとも一部を埋め込んだ頭部とを具備するものであり、接地体のうち反接地側における前記頭部又はネジ軸との境界部分にその周囲よりも強度が低い低強度部を形成し、接地体のうち反接地側において、ネジ要素のネジ軸の周囲に複数の薄肉なリブを形成し、このリブを低強度部としているものが挙げられる。このような構成のものであっても、荷重受け側から反荷重受け側に向けて衝撃を加えると、薄肉なリブを容易に破壊することができるので、接地体とネジ要素とを簡単に分別することができるようにした低強度部を容易に形成できることとなる。
【００１１】
この場合、リブの破壊しやすさを維持しつつ接地体にインサート成形したネジ要素の使用時における安定性を容易に向上するためには、接地体に前記各リブを連結しネジ軸の周囲を周回させたリング部を形成していることが望ましい。さらに、リブとともにリング部も接地体から容易に破壊されるようにするためには、前記リング部のうち、リブと接続していない部位に切り込み部を形成していることが好ましい。
【００１２】
さらに、上記のような各種のアジャスタにおいて、低強度部を破壊する際の作業の便を向上するためには、接地体の接地面における前記頭部に対応する部位に、反接地側に向かって窪ませた穴部を形成することが望ましい。このようにすることで、穴部に棒等を挿し込んで反対側から衝撃を加えると、その力がネジ要素の頭部を介して低強度部に伝わり、低強度部を簡単に壊すことができる。
【００１３】
一方、本発明の樹脂インサート成形品の上記アジャスタ以外の例としては、使用時に荷重を受ける金属部品を樹脂部分に予めインサート成形したものであって、樹脂部分のうち使用時に金属部品が荷重を受ける側とは異なる部位における金属部品との境界部分に、その周囲よりも強度が弱い低強度部を形成し、家具本体の荷重を支持し得る樹脂部分である支持体と、この支持体に埋め込まれネジ孔を有する金属部品であるナット要素とを具備してなり家具本体の下端部でアジャスタを受けるアジャスタ受けであって、支持体の反荷重受面とナット要素との間にその周囲よりも強度が低い低強度部を形成しているものが挙げられる。このような構成のものであっても、支持体に荷重受側から反荷重受側に向かって衝撃を加えることによって、低強度部が破壊されるので、ドリル等の工具を用いなくてもアジャスタ受けを分解し支持体とナット要素とに容易に分別して、樹脂と金属とをそれぞれ再利用に供することが可能となる。また、支持体の荷重受側には家具の荷重を支持するための十分な強度を付与しておくことで、アジャスタ受けとしての基本的な機能を適切に発揮させることができる。
【００１４】
簡素な構成の低強度部として好適な実施形態には、低強度部の肉厚を、その周囲よりも薄肉にしているものが挙げられる。この場合、薄肉な低強度部を容易に形成するためには、ナット要素を、支持体の反荷重受側に偏位させて位置づけることが望ましい。さらに、ナット要素と低強度部との接触面積を小さくして衝撃力を集中させるとともに、低強度部の反対側では安定的にナット要素を保持し得るようにするためには、ナット要素が、少なくとも前記低強度部に向く側の面に面取りを施しているものであることが好ましい。このようなナット要素としては、市販のものを適用することができる。この場合、使用時の安定性と破壊の容易性とを両立させた極めて簡単に構成するためには、低強度部を、ナット要素の前記面取り部分にのみ肉厚を存在させたものとすることが有効である。
【００１５】
また、低強度部を破壊する際の作業の便を向上するためには、支持体において前記ナット要素を挟んで低強度部の反対側となる部位に、反荷重受側に向かって窪ませた孔部を形成することが望ましい。このようにすることで、孔部に棒等を挿し込んで反対側から衝撃を加えると、その力がナット要素を介して低強度部に伝わり、低強度部を簡単に壊すことができる。このような孔部を格別に形成することなく、アジャスタ受けが本来備えている構成を有効に利用するためには、前記孔部が、ネジ孔にネジ要素のネジ軸を家具本体に向けて挿入するために支持体を貫通するように設けた貫通孔の一部であることが好ましい。
【００１６】
また、アジャスタやアジャスタ受け以外の樹脂インサート成形品の例としては、使用時に荷重を受ける金属部品を樹脂部分に予めインサート成形したものであって、樹脂部分のうち使用時に金属部品が荷重を受ける側とは異なる部位における金属部品との境界部分に、その周囲よりも強度が弱い低強度部を形成し、家具類の支柱に取り付けられる樹脂部分であるキャップ本体と、支柱に被取付部材を連結する際に使用されるボルトの荷重を受けるようにキャップ本体に埋め込まれた金属部品であるナット要素とを具備してなるキャップであって、キャップ本体のうち前記ボルトに対する反荷重受け側とナット要素との境界部分に低強度部を形成しているものが挙げられる。このようなものであっても、上述したアジャスタ等と同様に、樹脂製のキャップ本体と金属製のナット要素とに分別することが容易となる。
【００１７】
【実施例】
以下、本発明の一実施例を、図１〜図４を参照して説明する。
図１及び図２に示す本実施例は、ネジ要素２を具備し床面に接地されるアジャスタ１と、そのネジ要素２とネジ作用で係り合うナット要素５を具備し家具本体の下端部に配置されるアジャスタ受け４とから構成されるアジャスタ機構である。なお、同図には、家具本体の一例として机の脚部７を想像線で示している。
【００１８】
アジャスタ１は、図１〜図３に示すように、金属製のネジ要素２と、このネジ要素２を成形時に予め埋め込んだ樹脂製（本実施例ではポリプロピレン製）の接地体３とからなる樹脂インサート成形品である。ネジ要素２は、ネジ山を有するネジ軸２１と、このネジ軸２１の下端２１ａに一体に連続しネジ軸２１の直径よりも大きい巾寸法を有する頭部２２とから構成されている。この頭部２２の上端部側には、ネジ軸２１の下端２１ａに連続し下方に漸次広がるテーパ面２２ａを形成しており、このテーパ面２２ａがネジ軸２１の軸心２１ｂに対して傾斜するように設定している。
【００１９】
また、接地体３は、概略円板状をなすもので、接地面たる底面３１を床面に接地させるようにして、反接地面となる上面３２の略中心部から前記ネジ軸２１が上方に向けて突出するようにネジ要素２の頭部２２を埋め込んでいる。その際、頭部２２のテーパ面２２ａのうち上端側の一部を接地体３の上面３２から突出させている。そして、接地体３の上端部３ａ側のうち上面３２とネジ要素２の頭部２２との間には、埋め込まれた頭部２２のテーパ面２２ａに対応するテーパ面３３を形成し、このテーパ面３３を含む部位を周囲よりも肉厚が薄くなる薄肉部３Ｘとしている。すなわち、この薄肉部３Ｘは、接地体３の中心部に向かって漸次薄肉となるもので、構造的に周囲よりも強度が低い低強度部を構成するものである。また、接地体３の上面３２のうちネジ要素２のテーパ面２２ａの周囲に環状に若干窪ませた環状溝３４を形成するとともに、ネジ要素２の軸心２１ｂを中心として環状溝３４の外周縁を始点に等間隔で放射状に延びる複数（図示例では６本）の溝部３５を形成している。これら溝部３５は、前記環状溝３４と略等しい深さを有している。さらに、接地体３の底面３１の中心部には、上方に向かって窪ませた穴部３６を形成している。この穴部３６は、ネジ要素２の頭部下面２２ｂに達しない程度の深さを有している。なお、接地体３の周壁３７には、複数の山形をなす突起を連続させたローレット加工を施して、この周壁３７を指で持って回しやすいようにしている。なお、接地体３の下端部３ｂは、底面３１とネジ要素２の頭部下面２２ｂとの間を脚部７を含む家具の荷重を支持するのに十分な強度を有する程度の肉厚に設定している。
【００２０】
一方、アジャスタ受け４は、図１、図２及び図４に示すように、前記アジャスタ１のネジ軸２１と係り合う金属製のナット要素５と、このナット要素５をインサートナットとして成形時に予め埋め込んだ樹脂製（本実施例ではポリプロピレン製）の支持体６とからなる樹脂インサート成形品である。支持体６は、家具本体たる丸パイプ状の脚部７の下端部７１に取り付けられる概略円筒状をなすものであり、脚部７を含む家具の荷重を受けない反荷重受面となる支持体６の底面６１側にナット要素５を偏位させている。そして、下端部６ｂの略中央部に位置づけたナット要素５の下面５２と前記底面６１との間に、家具の荷重を受ける周囲の肉圧よりも薄くした薄肉部６Ｘを形成している。すなわち、この薄肉部６Ｘは、周囲よりも構造的に強度が低い低強度部を構成するものである。なお、このナット要素５は、前記下面５２に面取りを施しており、上面５３が略平らな構成のものである。また、支持体６の底部６ｂには、埋め込んだナット要素５の下端部を取り巻くように環状をなし底面６１に開口する環状溝６５を形成している。さらに、この支持体６には、ナット要素５のネジ孔５１にネジ要素２のネジ軸２１をネジ作用で係り合わせるために、上面６２から底面６１に亘って貫通する貫通孔６３を形成しており、底面６１側においては、この貫通孔６３の開口をネジ孔５１の直径より大きく且つナット要素５の下面５２より小さく設定している。また、支持体６の上端部６ａ側においては、その貫通孔６３を、ナット要素５の上面５３の一部を上方に開放する中間部６３ａと、この中間部６３ａよりも大径で支持体６の上面６２に開口する上部６３ｂとの２段構成にし、この上部６３ｂの直径を上方に向かって漸次広げている。そして、これら中間部６３ａと上部６３ｂとをナット要素５の上面５３の一部を上方に開放する孔部６４として利用するようにしている。また、支持体６の周壁の上端部６ａ側に外径寸法が異なる３つの鍔部６６を設け、支持体６の上端部６ａ側をパイプ状の脚部７に下方から挿入し荷重受け面となる前記下端部６ｂの上向面６ｂｘに脚部７の下端７１を突き当てた際に、前記鍔部６６のうち前記脚部７の内径寸法に対応するものを脚部７の内壁に圧して接するようにして取り付けている。
【００２１】
このような構成のアジャスタ１及びアジャスタ受け４を処分する際には、アジャスタ１をアジャスタ受け４から取り外すとともに、アジャスタ受け４を脚部７から取り外して、以下のようにしてそれぞれを分解する。
すなわち、アジャスタ１をネジ要素２と接地体３とに分解するには、接地体３を手等で支持した状態で接地体３の底面３１に設けた穴部３６にある程度の強度を有する棒８等を挿入し、棒８の反対側から衝撃を加えると、その力がネジ要素２の頭部２２を介して図３に矢印で示すように薄肉部３Ｘに伝わる。しかして、この薄肉部３Ｘが放射状の溝部３５に沿って略均等に破壊され、接地体３からネジ要素２が取り出される。一方、アジャスタ受け４をナット要素５と支持体６とに分解するには、アジャスタ１と同様に支持体６を手等で支持した状態で貫通孔６３に設定した孔部６４に棒８を挿入し、棒８の反対側から衝撃を加えると、その力がナット要素５を介して図４に矢印で示すように薄肉部６Ｘに伝わる。その際、ナット要素５の下面５２と薄肉部６Ｘとの接触面積は比較的小さいので、その部位に衝撃が集中することとなる。しかして、この薄肉部６Ｘが破壊され、支持体６からナット要素５が取り出される。このように分解されたアジャスタ１及びアジャスタ受け４は、接地体３と支持体６、及びネジ要素２とナット要素５とに分別して廃棄又は再利用に供されることとなる。
【００２２】
以上のような構成からなる本実施例のアジャスタ１は、樹脂製の接地体３に金属製のネジ要素２の頭部２２を一体的に埋め込むとともに、接地体３の反接地側となる上端部３ａに低強度部たる薄肉部３Ｘを形成しているので、接地側から反接地側に向かって接地体３に衝撃を加えると、ネジ要素２の周囲に形成した薄肉部３Ｘを容易に破壊することができる。これにより、アジャスタ１の廃棄処分時にドリル等の工具を用いなくても簡単に接地体３とネジ要素２とに分解・分別して、樹脂と金属とをそれぞれ再利用に供する等、ゴミを減量し省資源に寄与することが可能である。また、接地体３の接地側となる下端部３ｂを厚肉として家具の荷重を支持するのに十分な強度を付与することで、アジャスタ１としての適切な機能を発揮させることができる。
【００２３】
特に、上述したように、低強度部は周囲の肉厚よりも薄い薄肉部３Ｘであるので、素材を異ならせることなく一体成形によって構造的に強度が低い部位を容易に形成することができる。さらに、ネジ要素２の頭部２２に一部を接地体３に埋め込んだテーパ面２２ａを形成し、接地体３にもそのテーパ面２２ａに対応するテーパ面３３を形成して、このテーパ面３３を含む部位を薄肉部３Ｘとしているので、破壊に適した薄肉部３Ｘを極めて容易に形成することができる。また、この薄肉部３Ｘには、接地体３の上面３２に形成した放射状をなす複数の溝部３５を略等間隔に設定しているので、薄肉部３Ｘの破壊しやすさを向上し、薄肉部３Ｘを略均等に破壊することもできる。
【００２４】
さらに、接地体３の接地面たる底面３１に、ネジ要素２の頭部２２に対応する穴部３６を形成しているので、この穴部３６に棒８等を挿し込んで反対側から衝撃を加えることによって、ネジ要素２の頭部２２を介してその力を薄肉部Ｘ３が伝達され薄肉部３Ｘを容易に破壊することができ、アジャスタ１の分解作業の便を極めて向上することができる。
【００２５】
一方、本実施例のアジャスタ受け４は、樹脂製の支持体６に金属製のナット要素５を埋め込み、支持体６の反荷重受面となる底面３１とナット要素５との間に低強度部たる薄肉部６Ｘを形成しているので、支持体６に荷重受側から衝撃を加えることで、薄肉部６Ｘを容易に破壊することができる。したがって、アジャスタ１と同様に工具を用いなくてもアジャスタ受け４を分解し支持体６とナット要素５とに容易に分別することが可能である。また、脚部７の荷重を受ける下端部６ｂにおける薄肉部６Ｘの周囲を厚肉として家具の荷重を支持するのに十分な強度を付与することで、アジャスタ受け４としての適切な機能を発揮させることができる。
【００２６】
上述したように、低強度部は周囲の肉厚よりも薄い薄肉部６Ｘであるので、素材を異ならせることなく一体成形によって構造的に強度が低い低強度部６Ｘを容易に形成することができる。さらに、ナット要素５を支持体６の底面６１側に偏位させているので、薄肉部６Ｘの形成を容易なものすることができる。しかも、ナット要素５の下面５２には面取りが施されており、上面５１を平らなものとしているので、支持体６にしっかりと安定的にナット要素５を保持しつつ、ナット要素５と薄肉部６Ｘとの接触面積を小さくして衝撃力を集中させ、支持体６の壊しやすさをさらに向上することができる。
【００２７】
さらに、アジャスタ１と同様に、支持体６のうちナット要素５を挟んで薄肉部６Ｘの反対側となる上端部６ａ側に孔部６４を設定しているので、この孔部６４に棒８等を挿し込んで反対側から衝撃を加えることによって、ナット要素５を介してその力が薄肉部６Ｘに伝達され薄肉部６Ｘを容易に破壊することができ、アジャスタ受け４の分解作業の便を極めて向上することができる。特にこの孔部６４は、ナット要素５にネジ要素２のネジ軸２１を挿入するために設けた支持体６の貫通孔６３を利用したものであるので、孔部６４を別途に形成する必要がなく、アジャスタ受け４の構成を有効に利用して製造の便を向上することができる。
【００２８】
なお、本発明のアジャスタは、上述した構成のものに限られず、例えば図５及び図６に示すようなものであってもよい。すなわち、第１変形例として図５に示すアジャスタ１１０は、テーパ面を有さず平らな上面を有するネジ要素１２０の頭部１２２を接地体１３０に埋め込んだもので、接地体１３０の上端部１３０ａのうち上方に突出するネジ要素１２０の周囲に内側に向かって傾斜するテーパ面１３３を形成し、このテーパ面１３３を含む部位を周囲よりも薄肉な低強度部１３０Ｘとしている。そして、接地体１３０の底面１３１の略中央部には、棒等を挿し込み得る穴部１３６を形成し、この穴部１３６によってネジ要素１２２の頭部下面１２２ｂを下方に開放している。したがって、このような構成のアジャスタ１１０であっても、上記実施例のアジャスタ１と同様にしてネジ要素１２０と接地体１３０とに分解・分別することができる。また、第２変形例として図６に示すアジャスタ２１０は、前記アジャスタ１１０と同様の基本的構成を有しており、それに加えて接地体２３０の低強度部２３０Ｘにおいて、ネジ要素２２０の頭部２２２の大きさに対応させた環状の溝２３５を形成したものである。しかして、棒等を用いてこのアジャスタ２１０に衝撃を加えると、環状の溝２３５に沿って接地体２３０が容易に破壊されることとなる。
【００２９】
一方、アジャスタ受けの第１変形例として図７に示すアジャスタ受け３４０は、家具本体が角パイプ状の脚部３７０等である場合に適用されるもので、支持体３６０が概略角筒状の形状を有している以外は、ナット要素３５０を支持体３６０の内部に埋め込んでいる点等、上記実施例のアジャスタ受けと同様の構成のものである。したがって、このようなものであっても、前記実施例と同様にしてナット要素３５０と支持体３６０とに分解・分別することができる。
【００３０】
また、第２変形例として図８に断面図で示すアジャスタ受け４４０は、支持体４６０の下端部４６０ｂのうちナット要素４５０の下面４５２に対応する部位に、内側から外側に向かって漸次厚肉となるテーパ面４６７を具備する低強度部４６０Ｘを形成したものである。しかして、ナット要素４５０の略平らな面を上面４５３とし、面取りを施した側を下面４５２としている。その他の構成は、前記実施例のアジャスタ受け４と略同様であるので説明を省略する。このような構成のものであっても、使用時にはナット要素４５０を支持体４６０に安定的に保持させておくことができ、また、前記実施例と同様に孔部４６４に棒等を挿し込んで衝撃を加えると、ナット要素４５０を介して低強度部４６０Ｘにその衝撃力を伝えて、ナット要素４５０と支持体４６０とを容易に分解・分別することが可能である。
【００３１】
さらに、第３変形例として図９に示すアジャスタ受け５４０のように、下面５５２側に面取りを施したナット要素５５０を支持体５６０に埋め込み、ナット要素５５０の下面５５２側にはその面取り部分５５２ａのみに支持体の肉厚を存在させて、その部位を低強度部たる薄肉部５６０Ｘとしているものであってもよい。ナット要素５５０の上面５５３側における支持体５６０には、家具の荷重に十分に耐え得る程度の肉厚を設定するとともに、該上面５５３の一部を上方に露出するように貫通孔５６３を利用した孔部５６４を設定している。このような構成のものでも、荷重受け側となるナット要素の上面５５３側から孔部５６４を通じて下方に向けて衝撃を加えることで、前記薄肉部５６０Ｘが容易に破壊され、支持体５６０とナット要素５５０とを確実に分別することができる。
【００３２】
さらに、特に図示はしないが、アジャスタ受けを前記実施例のように家具本体と別体のものとせず、樹脂製の家具本体の下端部にインサートナットとしてナット要素を直接埋め込んだ構成であってもよいのは勿論である。
また、低強度部としては、上述したような薄肉部に限らず、次に述べるような構成のものであってもよい。すなわち、アジャスタの第３変形例として図１０に示すものは、厚肉の中実な円盤状をなす接地部６３１の上面６３１ｂの中央部に概略円筒状をなす筒状部６３２を一体に設けた接地体６３０と、前記接地部６３１に頭部６２２を予め埋め込んで設けたネジ要素６２０とからなるものである。なお、接地部６３１の上面６３１ｂのうち筒状部６３２の内側に対応する部位を、埋め込んだネジ要素６２０の頭部上面６２２ａを筒状部６３２を介して上方に露出させる程度に凹没させている。また、接地部６３１の下面６３１ａの略中央部には、ネジ要素６２０の頭部下面６２２ｂに達しない程度の深さに窪ませた穴部６３６を形成している。そして、筒状部６３２の内側壁６３２ａに、ネジ軸６２１の軸心から放射状に延びる薄肉平板状の複数（図示例では４つ）のリブ６３３をネジ要素６２０の頭部上面６２２ａに接するように形成している。このリブ６３３は、本変形例における低強度部を構成するものである。さらに、これらリブ６３３のネジ軸６２１側の端部を連結しネジ要素６２０の頭部上面６２２ａに接するように、ネジ軸６２１の周囲を周回させたリング部６３４を形成している。リブ６３３及びリング部６３４は、このアジャスタ６１０の成形時に接地部６３１及び筒状部６３２と共に一体に成形している。このような構成のものであれば、荷重受け側に設定した穴部６３６を通じてネジ要素６２０に向けて前記実施例等と同様に衝撃を加えれば、接地体６３０は低強度部たるリブ６３３を設けた部位で破壊されることとなるため、樹脂部分である接地体６３０と金属部品であるネジ要素６２０とを容易に分別することができる。また、ネジ要素６２０は、リング部６３４によって上方への抜け出しが禁止されるとともに、リブ６３３によって水平方向へのぐらつきが防止されるので、使用時のネジ要素６２０の安定性と分解時の破壊の容易性とを有効に両立させることができる。
【００３３】
このように低強度部を薄肉のリブによって構成したアジャスタとしては、以下に述べるようなものであってもよい。なお、以下の各アジャスタは、上記第３変形例と概略において同一の構成を有しているため、同一部分については同一の符号を附して説明する。すなわち、図１１に第４変形例として示すアジャスタ７１０は、接地体７３０の筒状部６３２の内側壁６３２ａにリブ６３３及びリング部７３４を設けた構成までは前記第３変形例と同一の構成を有しているが、本変形例は、リング部７３４の外側壁のうち隣接するリブ６３３間における略中央部に、上下に連続して延びる切り込み部７３４ａを形成している。つまり、第３変形例のアジャスタ６１０をと分解した場合、ネジ要素６２０が、ネジ軸６２１の周囲にリング部６３４とリブ６３３の一部とを付帯した状態で接地体６３０から外れる場合があり、その場合にはそれらリング部６３４及びリブ６３３をさらに取り除く必要があるが、この第４変形例のように、リング部７３４に切り込み部７３４ａを形成しておけば、ネジ軸６２１からのリング部６３４及びリブ６３３の除去をさらに容易なものとすることができる。
【００３４】
また、上述したようなリング部を設けないようなものとしては、図１２に第５変形例として示すものが挙げられる。このアジャスタ８１０は、前記第３及び第４変形例と同様に、接地体８３０の筒状部６３２の内側壁６３２ａに、ネジ軸６２１の軸心から放射状に延びる低強度部たる薄肉平板状の多数（図示例では８つ）のリブ８３３をネジ要素６２０の頭部上面６２２ａに接するように形成している。そして、このリブ８３３のネジ軸６２１側の端部をネジ軸６２１に突き当てて、ネジ要素６２０の安定化を図っている。しかして、このアジャスタ８１０を前記各変形例と同様の操作によって破壊すれば、樹脂部分たる接地体６３０とネジ要素６２０とに極めて容易に分別することができる。
【００３５】
さらに、リブとリング状部の両方を備えたものとしては、図１３に第６変形例として示すものが挙げられる。このアジャスタ９１０は、接地体９３０の筒状部６３２の内側壁６３２ａに、その内側壁６３２ａからネジ軸６２１までの略半分の幅寸法を有し放射状に配置された複数の第１リブ９３３ａと、これら第１リブ９３３ａのネジ軸６２１側の端部を連結するようにネジ軸６２１から離れた位置に設けたリング部９３４と、このリング部９３４からネジ軸６２１に突き当たるように放射状に配置された複数の第２リブ９３３ｂとを形成したものである。第１リブ９３３ａと第２リブ９３３ｂとは、リング部の周に沿ってその外側と内側とに交互に配置している。このような構成のものであっても、接地体９３０とネジ要素６２０との分解の容易性を維持しつつ、接地体９３０に埋め込んだネジ要素６２０の使用時における安定性を高く設定することができる。
【００３６】
また、前記第３実施例と略同様の構成を有するアジャスタにおいて、他の構成の低強度部を具備するアジャスタとしては、図１４に第７変形例として示すものが挙げられる。このアジャスタ１１００は、第３実施例と同様のリブ１６３３及びリング部１６３４を有しているが、ネジ要素６２０の頭部上面６２２ａと接地部１６３１との間に薄肉部１６３７を形成して、この頭部上面６２２ａを隠蔽するようにしている。すなわち、前記リブ１６３３と薄肉部１６３７とによって、本変形例の低強度部１１００Ｘを構成している。このような構成のものであっても、接地体１６３０とネジ要素６２０との分解の容易性を維持しつつ、接地体１１３０に埋め込んだネジ要素６２０の使用時における安定性を高く設定することができる。なお、上述した各変形例では、リブをネジ要素のネジ軸に対して放射状に配置しているが、例えば複数のリブを筒状部内において平行に配置したり格子状に配置するなどの各種の変形が可能である。
【００３７】
なお、本発明は、上述した各種のアジャスタやアジャスタ受けに限られるものではなく、種々の樹脂インサート成形品に適用できるものである。その一例としては、図１５に断面図で示す樹脂製のキャップ２０００を挙げることができる。このキャップ２０００は、図示しない概略丸パイプ状の家具の支柱の上端部に挿入して取り付けられるもので、この支柱に対して略水平な姿勢で横架材等の被取付部材をボルト止めするために、同図に想像線で示すボルト２０７０に対応する金属部品たるナット要素２０５０を樹脂部分たる中実なキャップ本体２０６０にインサート成形によって予め埋め込んだものである。ナット要素２０５０は、そのネジ孔２０５１が略水平に開口するような姿勢でキャップ本体２０６０に埋め込まれており、このキャップ本体２０６０には、ネジ孔２０５１を外部に開口させるための貫通孔２０６１を形成している。その際、ナット要素２０５０の面取り側の面２０５２をボルト２０７０が挿入される側とは反対側を向かせて、キャップ本体２０６０における前記面２０５２との境界部分には、当該面取り部分にのみ肉厚を存在させ、その部位を薄肉な低強度部２０００Ｘとしている。一方、キャップ本体２０６０におけるナット要素２０５０のボルト２０７０が挿入される側の面２０５３との境界部分には、ネジ孔２０５１のみを前記貫通孔２０６１を通じて外部に露出させる程度に十分厚く肉厚を設定している。しかして、このナット要素２０５０にボルト２０７０を係り合わせると、ナット要素２０５０はボルト２０７０側に引き寄せられる方向に荷重を受けることとなるが、その方向にはキャップ本体の肉厚によって支持されているので、使用時の強度が十分に維持される。また、このキャップ２０００を分解する際には、貫通孔２０６１に棒等を挿し込んで衝撃を加えると、その力がナット要素２０５０を介して低強度部２０００Ｘへと伝わり、その低強度部２０００Ｘが破壊されて、樹脂部分であるキャップ本体２０６０とナット要素２０５０とに容易に分別することができる。
【００３８】
また、本発明の低強度部は、構造的に強度が低いものだけでなく、材質的に強度を低くしたものであってもよい。さらに、樹脂部分の素材は、ポリプロピレン以外の合成樹脂やゴム等であってもよい。その他、各部の具体的構成は、上記実施例に限られるものではなく、本発明の趣旨を逸脱しない範囲で種々変形が可能である。
【００３９】
【発明の効果】
本発明は、以上説明したような形態で実施され、以下に記載されるような効果を奏する。
すなわち、本発明の樹脂インサート成形品は、その成形時に予め金属部品が樹脂部分に埋め込まれるようにインサート成形したものであって、樹脂部分のうち使用時に金属部品が荷重を受ける側とは異なる部位における金属部品との境界部分に、その周囲よりも強度が弱い低強度部を形成している。したがって、この樹脂インサート成形品に、低強度部側に向けて衝撃を加えることによってドリル等の工具を用いなくてもその低強度部を容易に破壊することができるため、樹脂部分と金属部分とを確実に分別することができ、それらをそれぞれリサイクルしたり適切な廃棄処分をすることができる。このことは、ゴミの減量や省資源に有効に寄与することにもなる。しかも、金属部品が使用時に荷重を受ける側には十分な強度を付与することで、この樹脂インサート成形品を適正に使用することが可能である。
【００４０】
このような構成の樹脂インサート成形品が、樹脂製の接地体に金属製のネジ要素の頭部を埋め込んでなるアジャスタである場合には、接地体のうち反接地側における前記頭部又はネジ軸との境界部分にその周囲よりも強度が低い低強度部を形成することによって、上述のように樹脂部分である接地体と金属部品であるネジ要素とを容易に分別することができ、且つアジャスタとしての適正な機能を確保することができる。
【００４１】
具体的に、接地体の反接地面と前記頭部との間にその周囲よりも強度が低い低強度部を形成している場合には、接地体に接地側から反接地側に向かって衝撃を加えると、ネジ要素の周囲に形成した低強度部を容易に破壊することができるので、アジャスタの廃棄処分に際してドリル等の工具を用いなくても簡単に接地体とネジ要素とに分解・分別して、樹脂と金属とをそれぞれ再利用に供することが可能である。なお、低強度部を反接地側に設定して、接地体の接地側の端部には家具の荷重を支持するのに十分な強度を付与することで、アジャスタとしての適切な機能を発揮させることができる。
【００４２】
このような構成において、低強度部の肉厚を薄肉にしている場合には、構造的に強度が低い低強度部を極めて簡素に構成することができる。特に、前記頭部に少なくとも一部が接地体に埋め込まれるテーパ面を形成し、接地体にもそのテーパ面に対応するテーパ面を形成して、このテーパ面を含む部位に低強度部を設定すれば、破壊しやすい薄肉な低強度部をより容易に形成することができる。
【００４３】
また、低強度部を構成する接地体の反接地側の表面に、放射状をなす複数の溝部を形成している場合には、低強度部の破壊しやすさを向上することができる。その他のアジャスタの例として、接地体のうち反接地側におけるネジ軸の周囲に低強度部として複数の薄肉なリブを形成している場合にも、荷重受け側から反荷重受け側に向けて衝撃を加えると、薄肉なリブを容易に破壊することができるので、接地体とネジ要素とを簡単に分別することができる。この場合、接地体に各リブを連結しネジ軸の周囲を周回させたリング部を形成すれば、リブの破壊しやすさを維持しつつネジ要素の使用時における安定性を容易に向上することができる。さらに、リング部のうち、リブと接続していない部位に切り込み部を形成すれば、リブとともにリング部も接地体から容易に破壊することができる。
【００４４】
さらに、接地体の接地面側に、ネジ要素の頭部に対応する穴部を形成している場合には、この穴部に棒等を挿し込んで反対側から衝撃を加えると、その力がネジ要素の頭部を介して低強度部に伝わり、低強度部を容易に壊すことができるので、アジャスタの分解作業の便を極めて向上することが可能である。
また、本発明の樹脂インサート成形品の他の例には、家具本体の荷重を支持し得る樹脂製の支持体に金属製のナット要素を埋め込んでなるアジャスタ受けが挙げられる。このアジャスタ受けにおいて、支持体の反荷重受面とナット要素との間にその周囲よりも強度が低い低強度部を形成している場合には、支持体に荷重受側から反荷重受側に向かって衝撃を加えると、低強度部を容易に破壊することができるので、アジャスタと同様に工具を用いなくてもアジャスタ受けを分解し支持体とナット要素とに容易に分別して、それぞれを再利用に供することが可能である。なお、低強度部を反荷重受側に設定して、支持体の荷重受側には家具の荷重を支持するのに十分な強度を付与しておくことで、アジャスタ受けとしての適切な機能を発揮させることができる。
【００４５】
このような構成において、低強度部の肉厚を薄肉にしている場合には、構造的に強度が低い低強度部を極めて簡素に構成することができる。特に、ナット要素を支持体の反荷重受側に偏位させて位置づけている場合には、薄肉な低強度部を容易に形成することができる。さらに、ナット要素のうち面取りを施している側の面を低強度部側に向けて、このナット要素を配置している場合には、支持体の低強度部とは反対側で安定的にナット要素を保持しつつ、低強度部とナット要素との接触面積を小さくして衝撃力をその部位に集中させ、支持対の壊しやすさを向上することができる。特に、ナット要素の前記面取り部分にのみ肉厚を存在させて、その部位を薄肉な低強度部とすれば、使用時の安定性を維持しつつ破壊の容易性をさらに向上することが可能である。
【００４６】
また、ナット要素を挟んで低強度部の反対側となる支持体の部位に孔部を形成すれば、この孔部に棒等を挿し込んで反対側から衝撃を加えると、その力がナット要素の頭部を介して低強度部に伝わり、低強度部を容易に壊すことができるので、アジャスタ受けの分解作業の便を極めて向上することが可能である。
さらに、ネジ孔にネジ要素のネジ軸を挿入するために設けた支持体を貫通する貫通孔の一部を利用して孔部を構成すれば、アジャスタ受けの基本構成を有効に利用して孔部を別途に形成する必要をなくし、アジャスタ受けの製造の便を向上することができる。
【００４７】
また、本発明の樹脂インサート成形品のさらに他の例としては、家具類の支柱に取り付けられる樹脂製のキャップ本体に、支柱に他の被取付部材を連結する際に使用されるボルトの荷重を受ける金属部品であるナット要素とを埋め込んだキャップが挙げられる。この場合にも、キャップ本体のうちボルトに対する反荷重受け側とナット要素との境界部分に低強度部を形成すると、上述したアジャスタやアジャスタ受けと同様に、この種のキャップとしての使用時における適正な機能を維持しつつ、キャップに対して低強度部側に向けて衝撃を加えることで樹脂製のキャップ本体と金属製のナット要素とに分別することが可能である。
【図面の簡単な説明】
【図１】本発明の一実施例たるアジャスタ及びアジャスタ受けを示す斜視図。
【図２】同実施例を下方から見た状態を示す斜視図。
【図３】同実施例のアジャスタの作用を示す縦断面図。
【図４】同実施例のアジャスタ受けの作用を示す縦断面図。
【図５】本発明のアジャスタの第１変形例を示す縦断面図。
【図６】本発明のアジャスタの第２変形例を示す平面図。
【図７】本発明のアジャスタ受けの第１変形例を示す斜視図。
【図８】本発明のアジャスタ受けの第２変形例を示す断面図。
【図９】本発明のアジャスタ受けの第３変形例を示す断面図。
【図１０】本発明のアジャスタの第３変形例を示す図。
【図１１】本発明のアジャスタの第４変形例を示す平面図。
【図１２】本発明のアジャスタの第５変形例を示す平面図。
【図１３】本発明のアジャスタの第６変形例を示す平面図。
【図１４】本発明のアジャスタの第７変形例を図１０（ｂ）に対応して示す断面図。
【図１５】本発明の一実施例たるキャップを示す断面図。
【符号の説明】
１、１１０、２１０、６１０、７１０、８１０、９１０、１１００…樹脂インサート成形品（アジャスタ）
２、１２０、２２０、６２０…金属部品（ネジ要素）
３、１３０、２３０、６３０、７３０、８３０、９３０、１６３０…樹脂部分（接地体）
３Ｘ、１３０Ｘ、２３０Ｘ…低強度部（薄肉部）
４、３４０、４４０、５４０…樹脂インサート成形品（アジャスタ受け）
５、３５０、４５０、５５０、２０５０…金属部品（ナット要素）
６、３６０、４６０、５６０…樹脂部分（支持体）
６Ｘ、３６０Ｘ、４６０Ｘ、５６０Ｘ…低強度部（薄肉部）
７…家具本体（脚部）
２１、６２１…ネジ軸
２２、１２２、６２２…頭部
２２ａ…テーパ面
３１、１３１…接地面（底面）
３２…反接地面（上面）
３３…テーパ面
３５…溝部
３６、１３６、６３６…穴部
５１…ネジ孔
６１…反荷重受面（底面）
６２…荷重受面（上面）
６３、５６３…貫通孔
６４、４６４、５６４…孔部
６３３、１６３３…低強度部（リブ）
６３４、７３４１６３４…リング部
７３４ａ…切り込み部
２０００…樹脂インサート成形品（キャップ）
２０００Ｘ…低強度部
【図１】
0003765217.tif 000002
【図２】
0003765217.tif 000003
【図３】
0003765217.tif 000004
【図４】
0003765217.tif 000005
【図５】
0003765217.tif 000006
【図６】
0003765217.tif 000007
【図７】
0003765217.tif 000008
【図８】
0003765217.tif 000009
【図９】
0003765217.tif 000010
【図１０】
0003765217.tif 000011
【図１１】
0003765217.tif 000012
【図１２】
0003765217.tif 000013
【図１３】
0003765217.tif 000014
【図１４】
0003765217.tif 000015
【図１５】
0003765217.tif 000016